(57)【要約】【課題】機枠と前面枠とを軸着するための構成部品数と、前面枠と透明部材保持枠とを軸着するための構成部品数とを少なく抑えることができる遊技機を提供する。【解決手段】前面枠本体４の一側の上端部および下端部には回動軸ユニット２０をそれぞれ設け、該回動軸ユニット２０は、ベースプレートと、該ベースプレートの上部に立設された第１回動軸２３と、ベースプレートの下部から垂下された第２回動軸とを備え、透明部材保持枠９の一側の上端部および下端部には、第１軸受孔２７が開設された第１軸受部２６をそれぞれ設け、機枠２の一側の上端部および下端部には、第２軸受孔が開設された第２軸受部をそれぞれ設け、第１軸受孔２７に第１回動軸２３を挿通して前面枠本体４の一側に透明部材保持枠９を開閉自在な状態で軸着し、第２軸受孔に第２回動軸を挿通して機枠２の一側に前面枠本体４を開閉自在な状態で軸着した。【選択図】図１
2011229990.tif 000002
【特許請求の範囲】
【請求項１】
前方が開放された機枠と、遊技盤を収納した前面枠と、透明部材が保持された透明部材保持枠と、を備え、機枠内に前面枠の裏面側装備部品を収容可能とし、前面枠の表面側に透明部材保持枠を重合して遊技盤を透明部材により被覆可能とした遊技機において、
前記前面枠の一側の上端部および下端部には回動軸ユニットをそれぞれ設け、
該回動軸ユニットは、ベースプレートと、該ベースプレートの上部に立設された第１回動軸と、ベースプレートの下部から垂下された第２回動軸と、を備え、
前記透明部材保持枠の一側の上端部および下端部には、第１軸受孔が開設された第１軸受部をそれぞれ設け、
前記機枠の一側の上端部および下端部には、第２軸受孔が開設された第２軸受部をそれぞれ設け、
前記第１軸受孔に第１回動軸を挿通して前面枠の一側に透明部材保持枠を開閉自在な状態で軸着し、第２軸受孔に第２回動軸を挿通して機枠の一側に前面枠を開閉自在な状態で軸着したことを特徴とする遊技機。
【請求項２】
前記機枠には、前面枠の上方へ向けて延出した延出部を設け、
該延出部は、機枠の開放口に前面枠の裏面側を臨ませた姿勢で、当該延出部の先端が前面枠の上方に位置可能な延出長さに設定され、
前記第２軸受孔に第２回動軸を挿通し、且つ延出部を前面枠の上方に位置させた状態で、延出部と前面枠との上下離間距離を第２回動軸の長さよりも短く設定したことを特徴とする請求項１に記載の遊技機。
【発明の詳細な説明】
【技術分野】
【０００１】
本発明は、前方が開放された機枠と、遊技盤を収納した前面枠と、透明部材が保持された透明部材保持枠とを備え、機枠内に前面枠の裏面側装備部品を収容可能とし、前面枠の表面側に透明部材保持枠を重合して遊技盤を透明部材により被覆可能としたパチンコ遊技機等の遊技機に関する。
【背景技術】
【０００２】
従来の遊技機、例えば、パチンコ遊技機においては、機枠に前面枠を開閉可能な状態で軸着するとともに、前面枠に透明部材保持枠を開閉可能な状態で軸着し、前面枠に収納した遊技盤を透明部材保持枠に保持した透明部材で被覆している。そして、前面枠に透明部材保持枠を軸着するヒンジ機構（軸着機構）に関して、透明部材保持枠の一側にヒンジピンをコイルばねにより付勢された状態で備え、前面枠にはヒンジピンが挿通可能なヒンジ受け穴を開設したものが提案されている。このヒンジ機構では、ヒンジピンをコイルばねの付勢力に抗して操作して透明部材保持枠内に引き入れ、この状態でヒンジ受け穴とヒンジピンとを位置合わせしてから操作を解除してヒンジピンをヒンジ受け穴へ挿通し、前面枠に透明部材保持枠を軸着することができる（例えば、特許文献１参照）。
【先行技術文献】
【特許文献】
【０００３】
【特許文献１】特開２００３−０３３５３１号公報
【発明の概要】
【発明が解決しようとする課題】
【０００４】
ところで、近年では、パチンコ遊技機の構成部品点数、ひいては製造コストを削減することが望まれている。しかしながら、上記特許文献に記載の軸着機構や、従来の軸着機構をパチンコ遊技機に採用する場合には、機枠と前面枠とを軸着するためのものと、前面枠と透明部材保持枠とを軸着するためのものとを別個に設けなければならず、構成部品の削減に改善の余地を残している。
【０００５】
そこで、本発明は、上記の事情に鑑みてなされたものであり、その目的は、機枠と前面枠とを軸着するための構成部品数と、前面枠と透明部材保持枠とを軸着するための構成部品数とを少なく抑えることができる遊技機を提供しようとするものである。
【課題を解決するための手段】
【０００６】
本発明は、上記目的を達成するために提案されたものであり、請求項１に記載のものは、前方が開放された機枠と、遊技盤を収納した前面枠と、透明部材が保持された透明部材保持枠と、を備え、機枠内に前面枠の裏面側装備部品を収容可能とし、前面枠の表面側に透明部材保持枠を重合して遊技盤を透明部材により被覆可能とした遊技機において、
前記前面枠の一側の上端部および下端部には回動軸ユニットをそれぞれ設け、
該回動軸ユニットは、ベースプレートと、該ベースプレートの上部に立設された第１回動軸と、ベースプレートの下部から垂下された第２回動軸と、を備え、
前記透明部材保持枠の一側の上端部および下端部には、第１軸受孔が開設された第１軸受部をそれぞれ設け、
前記機枠の一側の上端部および下端部には、第２軸受孔が開設された第２軸受部をそれぞれ設け、
前記第１軸受孔に第１回動軸を挿通して前面枠の一側に透明部材保持枠を開閉自在な状態で軸着し、第２軸受孔に第２回動軸を挿通して機枠の一側に前面枠を開閉自在な状態で軸着したことを特徴とする遊技機である。
【０００７】
請求項２に記載のものは、前記機枠には、前面枠の上方へ向けて延出した延出部を設け、
該延出部は、機枠の開放口に前面枠の裏面側を臨ませた姿勢で、当該延出部の先端が前面枠の上方に位置可能な延出長さに設定され、
前記第２軸受孔に第２回動軸を挿通し、且つ延出部を前面枠の上方に位置させた状態で、延出部と前面枠との上下離間距離を第２回動軸の長さよりも短く設定したことを特徴とする請求項１に記載の遊技機である。
【発明の効果】
【０００８】
本発明によれば、以下のような優れた効果を奏する。
請求項１に記載の発明によれば、前方が開放された機枠と、遊技盤を収納した前面枠と、透明部材が保持された透明部材保持枠と、を備え、機枠内に前面枠の裏面側装備部品を収容可能とし、前面枠の表面側に透明部材保持枠を重合して遊技盤を透明部材により被覆可能とした遊技機において、前面枠の一側の上端部および下端部には回動軸ユニットをそれぞれ設け、該回動軸ユニットは、ベースプレートと、該ベースプレートの上部に立設された第１回動軸と、ベースプレートの下部から垂下された第２回動軸とを備え、透明部材保持枠の一側の上端部および下端部には、第１軸受孔が開設された第１軸受部をそれぞれ設け、機枠の一側の上端部および下端部には、第２軸受孔が開設された第２軸受部をそれぞれ設け、第１軸受孔に第１回動軸を挿通して前面枠の一側に透明部材保持枠を開閉自在な状態で軸着し、第２軸受孔に第２回動軸を挿通して機枠の一側に前面枠を開閉自在な状態で軸着したので、機枠と前面枠とを軸着するための構成部品数と、前面枠と透明部材保持枠とを軸着するための構成部品数とを従来よりも少なく抑えることができる。したがって、機枠、前面枠、透明部材保持枠の軸着機構を簡略化することができ、ひいては、遊技機の製造コストの低減を図ることができる。
【０００９】
請求項２に記載の発明によれば、機枠には、前面枠の上方へ向けて延出した延出部を設け、該延出部は、機枠の開放口に前面枠の裏面側を臨ませた姿勢で、当該延出部の先端が前面枠の上方に位置可能な延出長さに設定され、第２軸受孔に第２回動軸を挿通し、且つ延出部を前面枠の上方に位置させた状態で、延出部と前面枠との上下離間距離を第２回動軸の長さよりも短く設定したので、前面枠の開き具合を異ならせることで、前面枠の着脱を規制することができる。したがって、例えば、遊技店の営業中に前面枠を近くの遊技者に当たらない程度に開いたときに、前面枠が機枠から誤って外れてしまう不都合がないように設定することができる。
【図面の簡単な説明】
【００１０】
【図１】透明部材保持枠および前面枠本体を開放したパチンコ遊技機の斜視図である。
【図２】（ａ）は前面枠本体に透明部材保持枠を軸着する前の状態図、（ｂ）は回動軸ユニットの正面図である。
【図３】機枠に前面枠本体を軸着する前の状態図である。
【図４】突出部と突出受部との遊嵌状態を示す説明図である。
【図５】回動軸ユニット周辺および突出部周辺の構成の説明図である。
【発明を実施するための形態】
【００１１】
以下、代表的な遊技機であるパチンコ遊技機を例に挙げて本発明の実施の最良の形態を図面に基づき説明する。図１は前面側を開放したパチンコ遊技機の斜視図である。
パチンコ遊技機１は、前方が開放された矩形状の機枠（外枠）２の一側（図１中、左側）に前面枠（内枠）３を開閉可能な状態で軸着し、前面枠３のベースとなる略額縁状の前面枠本体４の表面側には、円形状の遊技領域５が区画形成された遊技盤６を収納し、前面枠本体４の裏面側には、球貯留タンクや球排出装置等の裏面側装備部品７を装着している。また、前面枠本体４の表面側の一側（図１中、左側）には透明部材保持枠９を開閉（回動）可能な状態で軸着し、該透明部材保持枠９に透視可能な透明部材１０を収納し、透明部材保持枠９の下部には、遊技球を貯留可能な上皿ユニット１１を備えている。そして、透明部材保持枠９を閉じて前面枠本体４の表側に透明部材保持枠９を重合すると、遊技盤６が透明部材保持枠９により被覆されるとともに、透明部材１０が遊技領域５の前方に配置され、透明部材１０を通して遊技領域５を前方から視認できるように構成されている。また、機枠２に対して前面枠本体４を閉じると、裏面側装備部品７が機枠２内に収容されるように構成されている。さらに、前面枠本体４のうち透明部材保持枠９の下方には、下皿ユニット１２を上皿ユニット１１とは左右方向にずれた位置に配置し、該下皿ユニット１２の左側に灰皿１４を備え、下皿ユニット１２の右側には、発射装置（図示せず）を操作するための発射操作ユニット（発射操作ハンドル）１５を備えている（図３参照）。
【００１２】
次に、機枠２と前面枠本体４とを軸着するための構成、および前面枠本体４と透明部材保持枠９とを軸着するための構成について説明する。
前面枠本体４は、図２に示すように、当該前面枠本体４の一側（図２（ａ）中、左側）の上端部および下端部に金属製の回動軸ユニット２０（上側回動軸ユニット２０ａ、下側回動軸ユニット２０ｂ）をそれぞれ設け、該回動軸ユニット２０を介して機枠２へ軸着されており、さらには、回動軸ユニット２０を介して当該前面枠本体４の表面側に透明部材保持枠９を軸着している。回動軸ユニット２０は、図２（ｂ）に示すように、前面枠本体４の表面から透明部材保持枠９側へ向けて突出した舌片状のベースプレート２１を横方向へ延在する姿勢で備え、該ベースプレート２１の上部（上面）から第１回動軸２３を立設し、ベースプレート２１の下部からは第２回動軸２４を第１回動軸２３と同一直線上に位置する状態で垂下している。
【００１３】
また、透明部材保持枠９の一側（図２（ａ）中、左側）の上端部および下端部、詳しくは回動軸ユニット２０寄りの側部の上端部および下端部には、金属製の第１軸受部２６（上側第１軸受部２６ａ、下側第１軸受部２６ｂ）を透明部材保持枠９の表面から前面枠本体４とは反対側へ向けてそれぞれ突出し、この突出部分に第１回動軸２３が遊嵌可能な第１軸受孔２７を上下方向へ貫通している。なお、透明部材保持枠９の上端部に設けられた上側第１軸受部２６ａの下方には、透明部材保持枠９の表裏方向へ貫通する保持枠切欠部２８を回動軸ユニット２０の上下高さ（第１回動軸２３の上端から第２回動軸２４の下端までの距離）よりも十分に広い上下幅で形成するとともに、保持枠切欠部２８の側部（図２（ａ）中、左側部）を外方へ開放し、該保持枠切欠部２８に回動軸ユニット２０を支障なく挿通できるように構成されている。
【００１４】
さらに、図３に示すように、機枠２の一側（図３中、左側）の上端部および下端部、詳しくは回動軸ユニット２０寄りの側部の上端部および下端部には金属製の第２軸受部３２（上側第２軸受部３２ａ、下側第２軸受部３２ｂ）をそれぞれ設け、該第２軸受部３２の前縁部を機枠２の前縁部から前方（前面枠本体４側）へ突出し、この突出部分に第２回動軸２４が遊嵌可能な第２軸受孔３３を上下方向へ貫通している。なお、上側第２軸受部３２ａは、機枠２の上辺部２ａと回動軸ユニット２０側（図１中、左側）の側辺部２ｂとを連結する連結金具３５の前側部を屈曲して形成されている。
【００１５】
そして、パチンコ遊技機１は、透明部材保持枠９の外れ止めとなる構成を備えている。具体的に説明すると、図２（ａ）および図４に示すように、前面枠本体４の上部のうちベースプレート２１よりも遊技盤６寄り（図４中、左寄り）には、横長な平板状の突出部３７を透明部材保持枠９側へ向けて突出している。また、透明部材保持枠９のうち突出部３７に対向し得る箇所、言い換えると上側第１軸受部２６ａよりも透明部材１０寄り（図４中、左寄り）には、突出部３７を遊嵌可能な突出受部３８を前面枠本体４側が開放した状態で設け、突出受部３８と保持枠切欠部２８とを横に並べて連通している。そして、突出部３７の突出長さを、前面枠本体４（前面枠３）の表面側と透明部材保持枠９の裏面側とが対向した姿勢で当該突出部３７の先端（特に回動軸ユニット２０寄りの位置の先端）が突出受部３８内へ遊嵌可能となる程度の長さに設定している。したがって、透明部材保持枠９を前面枠本体４に対して十分に重合して閉じた閉状態、あるいは閉状態から前面枠本体４に対して十分に開いた全開状態となるまでの途中の開放途中状態（例えば、前面枠本体４とのなす角が９０度未満となる状態）で開くと、図１および図４に示すように、突出部３７の先端が突出受部３８内へ遊嵌する。また、透明部材保持枠９を全開状態、あるいは開放途中状態よりも大きく開いた状態（例えば、前面枠本体４とのなす角が９０度以上となる状態）で開くと、突出部３７が突出受部３８から外れる。
【００１６】
さらに、図５に示すように、第１軸受孔２７に第１回動軸２３を挿通し、且つ突出受部３８内に突出部３７を遊嵌した状態では、突出受部３８の底面と突出部３７の下面との間に隙間ｄ１を形成するとともに、突出受部３８の天井面と突出部３７の上面との間に隙間ｄ２を形成している。したがって、突出受部３８に対して突出部３７を支障なく嵌脱することができ、透明部材保持枠９をスムーズに開閉することができるように構成されている。また、隙間ｄ１を形成することにより突出部３７が突出受部３８内を第１回動軸２３の軸方向に沿って移動することを許容しているが、この移動可能となる距離（突出移動許容距離）、すなわち隙間ｄ１の寸法を第１回動軸２３の長さよりも短く設定している。この結果、突出部３７と突出受部３８とが遊嵌している状態では、第１軸受部２６が上下方向へガタついたとしても第１回動軸２３の先端を越えることがないように、言い換えると第１回動軸２３が第１軸受部２６から外れないように設定されている。
【００１７】
また、パチンコ遊技機１は、前面枠本体４の外れ止めとなる構成をも備えている。具体的に説明すると、図１に示すように、上側第２軸受部３２ａが設けられた連結金具３５のうち、第２軸受部３２よりも上辺部２ａの左右方向の中央寄りには、前面枠本体４の上方へ向けて延出した延出部４２を設けている。そして、該延出部４２の延出長さを、機枠２の開放口に前面枠本体４の裏面側を臨ませた姿勢で、当該延出部４２の先端が前面枠本体４の上方に位置可能となる程度の長さに設定している。したがって、前面枠本体４を機枠２に対して十分に閉じた閉状態、あるいは閉状態から機枠２に対して十分に開いた全開状態となるまでの途中の開放途中状態（例えば、機枠２とのなす角が９０度未満となる状態）で開くと、図１に示すように、延出部４２の先端が前面枠本体４の上縁部の一部（詳しくは第２回動軸２４の近傍の部分）を上方から被覆する。また、前面枠本体４を全開状態、あるいは開放途中状態よりも大きく開いた状態（例えば、機枠２とのなす角が９０度以上となる状態）で開くと、前面枠本体４および透明部材保持枠９が延出部４２の下方から外れる。
【００１８】
さらに、図５に示すように、第２軸受孔３３に第２回動軸２４を挿通し、且つ延出部４２を前面枠本体４の上方に位置させた状態では、延出部４２と前面枠本体４の上部との間（または透明部材保持枠９の上部との間）に隙間ｄ３を形成している。したがって、延出部４２が前面枠本体４に干渉することがなく、前面枠本体４をスムーズに開閉することができるように構成されている。また、隙間ｄ３、すなわち延出部４２と前面枠本体４との上下離間距離を第２回動軸２４の長さよりも短く設定している。したがって、延出部４２が前面枠本体４の上縁部の一部を上方から被覆している状態では、回動軸ユニット２０が上下方向へガタついたとしても第２回動軸２４の先端が第２軸受部３２よりも上方へ移動することがないように、言い換えると第２回動軸２４が第２軸受部３２から外れないように設定されている。
【００１９】
このような構成を備えたパチンコ遊技機１において、前面枠本体４に透明部材保持枠９を取り付けるには、まず、図２（ａ）に示すように、前面枠本体４の前方に透明部材保持枠９を前面枠本体４に対して開放途中状態よりも大きく開いた姿勢（９０度以上に開いた状態）に設定する。詳しくは、透明部材保持枠９の軸着端（第１軸受部２６側）を回動軸ユニット２０の前方に配置するとともに、透明部材保持枠９の自由端（透明部材１０を挟んで第１軸受部２６とは反対側）を第１軸受部２６よりも前面枠本体４から離れた位置であって遊技盤６から側方へ外れた位置に配置する。このように透明部材保持枠９の姿勢を設定したならば、上側回動軸ユニット２０ａに上側第１軸受部２６ａを上方から近づけて第１軸受孔２７に第１回動軸２３を挿通する。このとき、透明部材保持枠９には保持枠切欠部２８を形成しているので、透明部材保持枠９と上側回動軸ユニット２０ａとが干渉する虞がない。さらに、下側回動軸ユニット２０ｂに下側第１軸受部２６ｂを上方から近づけて第１軸受孔２７に第１回動軸２３を挿通する。この結果、透明部材保持枠９の側部が前面枠本体４の側部に回動自在な状態で軸着される。透明部材保持枠９を前面枠本体４へ軸着したならば、透明部材保持枠９を回動して閉状態へ変換し、前面枠本体４の表面側へ重合する。すると、図５に示すように、突出部３７が突出受部３８へ遊嵌し、透明部材保持枠９が上方へ移動して第１軸受部２６が第１回動軸２３から外れること、ひいては透明部材保持枠９が前面枠本体４から外れることを規制する。
【００２０】
透明部材保持枠９を閉状態へ変換したならば、機枠２の前方に前面枠本体４を機枠２に対して開放途中状態よりも大きく開いた姿勢（９０度以上に開いた状態であって、図３に示す開き具合よりもさらに開いた状態）に設定する。詳しくは、前面枠本体４の軸着端（回動軸ユニット２０側）を第２軸受部３２の前方に配置するとともに、前面枠本体４の自由端（遊技盤６を挟んで回動軸ユニット２０とは反対側）を回動軸ユニット２０よりも機枠２から離れた位置であって機枠２の開放口から側方へ外れた位置に配置する。このように前面枠本体４の姿勢を設定したならば、上側第２軸受部３２ａに上側回動軸ユニット２０ａを上方から近づけて第２軸受孔３３に第２回動軸２４を挿通する。さらに、下側第２軸受部３２ｂに下側回動軸ユニット２０ｂを上方から近づけて第２軸受孔３３に第２回動軸２４を挿通する。この結果、前面枠本体４の側部が機枠２の側部に回動自在な状態で軸着される。前面枠本体４を機枠２へ軸着したならば、前面枠本体４を閉状態へ変換（回動）して前面枠本体４の裏面側装備部品７を機枠２内へ収容する。すると、延出部４２が前面枠本体４の上方に位置し、前面枠本体４が上方へ移動して第２回動軸２４が第１軸受部２６から外れること、ひいては前面枠本体４が機枠２から外れることを規制する。
【００２１】
このようにして、パチンコ遊技機１は、回動軸ユニット２０を介して機枠２と前面枠本体４と透明部材保持枠９とを軸着するので、機枠２と前面枠本体４とを軸着するための構成部品数と、前面枠本体４と透明部材保持枠９とを軸着するための構成部品数とを従来よりも少なく抑えることができる。したがって、機枠２、前面枠本体４（前面枠３）、透明部材保持枠９の軸着機構を簡略化することができ、ひいては、パチンコ遊技機１の製造コストの低減を図ることができる。
【００２２】
また、突出部３７の長さを、前面枠本体４の表面側と透明部材保持枠９の裏面側とが対向した姿勢で当該突出部３７の先端が突出受部３８へ遊嵌可能な長さに設定し、加えて、突出移動許容距離を第１回動軸２３の長さよりも短く設定したので、透明部材保持枠９の開き具合を異ならせることで、透明部材保持枠９の着脱を規制することができる。したがって、例えば、遊技店の営業中に透明部材保持枠９を近くの遊技者に当たらない程度、具体的には前面枠本体４となす角が９０度未満となる状態（開放途中状態）で開いたときに、透明部材保持枠９が前面枠本体４から誤って外れてしまう不都合がないように設定することができる。なお、透明部材保持枠９を閉じて突出受部３８内に突出部３７を遊嵌すると、回動軸ユニット２０の近傍の隙間を突出部３７の突出方向（透明部材保持枠９の表裏方向）に沿ってクランク状に屈曲した状態に設定するので、透明部材保持枠９と前面枠本体４との軸着部の近傍からピアノ線や薄いプラスチック片などの不正部材を侵入させる不正行為を未然に防ぐことができる。
【００２３】
そして、延出部４２の長さを、機枠２の開放口に前面枠本体４の裏面側を臨ませた姿勢で当該延出部４２の先端が前面枠本体４の上方に位置可能な長さに設定し、加えて延出部４２と前面枠本体４との上下離間距離を第２回動軸２４の長さよりも短く設定したので、前面枠本体４の開き具合を異ならせることで、前面枠本体４の着脱を規制することができる。したがって、例えば、遊技店の営業中に前面枠本体４を近くの遊技者に当たらない程度、具体的には機枠２とのなす角が９０度未満となる状態（開放途中状態）で開いたときに、前面枠本体４が機枠２から誤って外れてしまう不都合がないように設定することができる。
【００２４】
ところで、上記実施形態では、回動軸ユニット２０において、第１回動軸２３と第２回動軸２４とを同一直線上に配置していたが、本発明はこれに限定されない。例えば、第１回動軸２３と第２回動軸２４とをパチンコ遊技機１の前後方向にずらした状態で備え、前面枠本体４の回動中心線と透明部材保持枠９の回動中心線とがずれるように設定してもよい。また、前面枠本体４の上部のうち回動軸ユニット２０の側方に突出部３７を設け、透明部材保持枠９の上部のうち第１軸受部２６の側方に突出受部３８を設けたが、本発明はこれに限定されない。要は、前面枠の表面側と透明部材保持枠９の裏面側とが対向した姿勢で、突出部の先端が突出受部へ遊嵌可能であればどのように設定してもよい。例えば、突出部を前面枠本体４のうち上下両側の回動軸ユニット２０の間に突設し、突出受部を透明部材保持枠９のうち上下両側の第１軸受部２６の間に設けてもよい。
【００２５】
そして、上記実施形態では、代表的な遊技機であるパチンコ遊技機を例にして説明したが、本発明はこれに限らず、前方が開放された機枠と、遊技盤を収納した前面枠と、透明部材が保持された透明部材保持枠とを備え、機枠内に前面枠の裏面側を収容可能とし、前面枠の表面側に透明部材保持枠を重合して遊技盤を透明部材により被覆可能とした遊技機であればどのような遊技機でもよい。例えば、アレンジボール式遊技機、雀球式遊技機等の遊技機であってもよい。
【００２６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００２７】
１  パチンコ遊技機
２  機枠
３  前面枠
４  前面枠本体
６  遊技盤
７  裏面側装備部品
９  透明部材保持枠
２０  回動軸ユニット
２０ａ  上側回動軸ユニット
２０ｂ  下側回動軸ユニット
２１  ベースプレート
２３  第１回動軸
２４  第２回動軸
２６  第１軸受部
２６ａ  上側第１軸受部
２６ｂ  下側第１軸受部
２７  第１軸受孔
２８  保持枠切欠部
３２  第２軸受部
３２ａ  上側第２軸受部
３２ｂ  下側第２軸受部
３３  第２軸受孔
３７  突出部
３８  突出受部
４２  延出部
【図１】
2011229990.tif 000003
【図２】
2011229990.tif 000004
【図３】
2011229990.tif 000005
【図４】
2011229990.tif 000006
【図５】
2011229990.tif 000007